【事件の表示】
　特許第３３６８６７２号「ヘッドマウントディスプレイ」の請求項１に係る特許に対する特許異議の申立てについて、次のとおり決定する。
【結　論】
　訂正を認める。
　特許第３３６８６７２号の請求項１に係る特許を維持する。
【理　由】
１．手続の経緯 
　特許第３３６８６７２号の請求項１に係る発明についての出願は、平成６年６月３０日に出願され、平成１４年１１月１５日にその発明について特許権の設定登録がなされ、その後、その特許について、異議申立人大木茂から特許異議の申立てがなされ、取消理由通知の指定期間内である平成１６年１０月１８日に訂正請求がなされたものである。
　
２．訂正の適否 
（１）訂正の内容 
　平成１６年１０月１８日付け訂正請求書によって特許権者が求めている訂正の内容は以下のとおりである。 
（ア）訂正事項ａ　
　特許請求の範囲の請求項１に係る記載
「【請求項１】
頭部に装着されるＨＭＤ本体；
この本体内の両眼に近接する位置で画像を表示する画像表示手段；
両眼の視野を撮像するための撮像手段；
これによって得られた背景画像の信号に外部から供給された鑑賞画像の信号を重ねて前記画像表示手段に供給する画像合成手段；
前記表示装置本体の動きを検知するためのセンサ手段；
このセンサ手段の検知結果に対応して、前記画像合成手段による鑑賞画像の合成位置に逆の動きを与える位置制御手段；
を備えたヘッドマウントディスプレイ。」
を、
「【請求項１】
鑑賞者の
この本体内の両眼に近接する位置で画像を
表示視野内に
両眼の視野を撮像するための撮像手段；
これによって得られた背景画像の信号に外部から供給された鑑賞画像の信号を重ねて前記画像表示手段に供給する画像合成手段；
前記表示装置本体の動きを検知するためのセンサ手段；
予め前記鑑賞者により固定可能とされた、前記鑑賞者の顔を所望の方向に向けた際の前記表示視野内に表示される前記背景画像に対する前記鑑賞画像の相対的位置を、前記表示視野内における基準合成位置としてこの位置に前記鑑賞画像を合成表示し、前記鑑賞画像を、前記顔の方向の変換に伴う前記
前記鑑賞者に対する前記鑑賞画像の表示方向が固定されるよう、前記基準合成位置から前記表示装置本体の動きの方向とは逆の方向に移動させる
を備えたヘッドマウントディスプレイ。」
と訂正する（下線部が訂正箇所）。
（イ）訂正事項ｂ
　明細書の段落番号【０００７】に記載された
「【課題を解決するための手段と作用】
　前記目的を達成するため、この発明は、装置本体の動きをセンサで検知し、この検知結果に応じて、背景画像に対する鑑賞画像の相対的な表示位置に逆の動きを与えているので、ヘッドマウント型であるにもかかわらず、据置型のテレビジョンと近似した表示環境が実現される。この発明の主要な態様によれば、外部音を得るためのマイクロホンが設けられる。そして、音声混合手段により、水平センサの動きに対応して、鑑賞画像の音像位置と画像位置が一致するように、外部音と鑑賞画像の音声とが混合される。この発明の前記及び他の目的，特徴，利点は、次の詳細な説明及び添付図面から明瞭になろう。」
を、
「【課題を解決するための手段と作用】
　前記目的を達成するため、この発明は、装置本体の動きをセンサで検知し、この検知結果に応じて、背景画像に対する鑑賞画像の相対的な表示位置に逆の動きを与えているので、ヘッドマウント型であるにもかかわらず、据置型のテレビジョンと近似した表示環境が実現される
。こ
と訂正する（下線部が訂正箇所）。
　
（２）訂正事項について 
　上記訂正事項ａは、「頭部」、「画像表示手段」及び「位置制御手段」についてそれぞれ限定事項を追加するもので、特許請求の範囲の減縮を目的とし、新規事項の追加に該当せず、実質上特許請求の範囲を拡張し、又は変更するものではない。 
　上記訂正事項ｂは、特許請求の範囲の記載と発明の詳細な説明における「課題を解決するための手段と作用」の記載とを整合させるための訂正であり、明りょうでない記載の釈明を目的とした明細書の訂正に該当し、新規事項の追加に該当せず、実質上特許請求の範囲を拡張し、又は変更するものではない。
　
（３）むすび 
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条１項ただし書、第２項及び第３項の規定に適合するので、当該訂正を認める。
　
３．特許異議の申し立てについて 
（１）申立ての理由の内容 
　特許異議申立人は、証拠として 
　甲第１号証：特開平３−２２６１９８号公報
　甲第２号証：特開平５−２４１５４０号公報
　甲第３号証：特開平３−　２９４７２号公報
を提出し、本件請求項１に係る発明の特許は、特許法第２９条第２項の規定に違反してなされたものであるから、本件請求項１に係る発明の特許は取り消されるべきものである旨主張している。
　また、本件請求項１に係る発明の特許は、特許法第３６条第６項に規定する要件を満たしていない出願に対してなされたものであるから、本件請求項１に係る発明の特許は取り消されるべきものである旨主張している。なお、「特許請求の範囲が不明瞭である」との主張からみて、異議申立の理由が特許法第３６条第６項とあるのは、特許法第３６条第５項の誤記であると認められる。
　
（２）本件発明 
　上記２に記載したとおり、平成１６年１０月１８日付け訂正請求書による訂正請求は認容されるので、本件の請求項１に係る発明（以下、「本件特許発明」という。）は、同訂正請求書に添付した訂正明細書の特許請求の範囲の請求項１に記載された事項により特定される次のとおりのものである。
「【請求項１】
鑑賞者の頭部に装着されるＨＭＤ本体；
この本体内の両眼に近接する位置で画像を表示視野内に表示する画像表示手段；
両眼の視野を撮像するための撮像手段；
これによって得られた背景画像の信号に外部から供給された鑑賞画像の信号を重ねて前記画像表示手段に供給する画像合成手段；
前記表示装置本体の動きを検知するためのセンサ手段；
予め前記鑑賞者により固定可能とされた、前記鑑賞者の顔を所望の方向に向けた際の前記表示視野内に表示される前記背景画像に対する前記鑑賞画像の相対的位置を、前記表示視野内における基準合成位置としてこの位置に前記鑑賞画像を合成表示し、前記鑑賞画像を、前記顔の方向の変換に伴う前記センサ手段の検知結果に対応して、前記鑑賞者に対する前記鑑賞画像の表示方向が固定されるよう、前記基準合成位置から前記表示装置本体の動きの方向とは逆の方向に移動させる位置制御手段；
を備えたヘッドマウントディスプレイ。」
　
（３）引用刊行物記載の発明 
　当審が通知した取消理由に引用した刊行物１（特開平３−２２６１９８号公報、甲第１号証)には、立体表示装置に関し、下記の事項が図面と共に記載されている。
（ア）「右目用実像入力部２１は、使用者がいる位置で観測される映像を入力し、右目に対応する画像である右目用実像信号２１１を出力する。右目用画像合成部２２は、目の回りを覆い、これらの装置をバンドやヘルメットなどで頭部に固定させる枠組みなどを用いる。」（６頁左上欄１５−２０行、第２図、第６図）
（イ）「第４の立体表示装置は、第２図に示す第２の立体表示装置の右目用画像合成部２２および左目用画像合成部２５に代えて右目用画像切り替え合成部４１および左目用画像切り替え合成部４２を備える。右目用画像切り替え合成部４１には、合成もしくは切り替えを指定する選択制御信号１０３が入力され、右目用画像切り替え合成部４１は、選択制御信号１０３に基づき、右目用画像信号１０１と右目用実像入力部２１から出力された右目用実像信号２１１とを入力し、それらの画像の合成または右目用画像信号１０１および右目用実像信号２１１の内からいずれか一方の選択を行い、右目用画像合成信号４１１を右目用画像投影部２３に出力する。同様に、左目用画像切り替え合成部４２は、入力される選択制御信号１０３に基づき、左目用画像信号１０２と左目用実像入力部２４から出力された左目用実像信号２４１を入力し、それらの画像の合成または左目用画像信号１０２および左目用実像信号２４１の内からいずれか一方の選択を行い、左目用画像合成信号４２１を左目用画像投影部２６に出力する。
　右目用画像切り替え合成部４１および左目用画像切り替え合成部４２は、第９図に示すように、画像切り替え器９１とクロマキー合成装置６４とからなる。」（６頁左下欄６行−右下欄１０行）
（ウ）「使用者は本発明の立体表示装置９２を装着具を介して装着する。位置検出部９３は、使用者の頭部の位置および向きを検出し、位置信号９３１を出力する。仮想世界データベース９６は、仮想的な３次元世界での人物などのデータを蓄積する。右目用画像生成部９４もしくは左目用画像生成部９５は、位置検出部９３から出力された位置データ９３１を入力し、仮想的な３次元世界での使用者の位置を計算し、仮想世界データベース９６から出力された仮想世界データ９６１を用いて、右目もしくは左目に対応する画像データを実時間で出力する。このとき使用者に観測される映像の一例を第１１図に示す。机９７は使用者がいる位置で見えた現実世界の対象物であり、人物９８は、仮想世界データベースに蓄積されているデータから生成された映像である。」（６頁右下欄１４行−７頁左上欄１０行）
　
　同刊行物２（特開平５−２４１５４０号公報、甲第２号証)には、視覚情報表示装置に関し、下記の事項が図面と共に記載されている。
（エ）「装着者の視線上に配置されたスクリーンと、
　前記装着者の頭部に装着され、前記スクリーンを前記位置に保持する保持手段と、
　前記装着者の頭部の向き及び位置を検出するセンサと、
　前記センサの検出結果に基づいて、前記装着者の頭部の向き及び位置に対応した部分のコンピュータ画像を出力するコンピュータグラフィック装置と、
　前記装着者の頭部の向き及び位置に対応した所定の撮像領域を撮像するテレビカメラと、
　前記テレビカメラが撮像する画像を前記コンピュータグラフィック装置が出力するコンピュータ画像に合成する画像合成装置と、
　前記保持手段に保持され、前記画像合成装置にて合成された画像を表示して前記スクリーンに投影する映像表示装置と、
　を備えたことを特徴とする視覚情報表示装置。」（【請求項１】）
（オ）「頭部を動かして指向方向が変わったときに、その指向方向の変化に追従して前記実画像やＣＧによる竣工予定画像の向きや位置が変わるようにすればさらに便利であることは言うまでもない。
　本発明は上述の点に着目してなされたものであり、装着者が頭部の向きや位置を変えて指向方向が変わったときに、その指向方向の変化に追従して実画像やＣＧ画像の向きや位置を変えて、前記実画像とＣＧ画像とを合成して装着者の目前に表示させることができる視覚情報表示装置を提供することを目的とする。」（【０００３】段落）
（カ）「各ＣＧ作成用コンピュータ９０は図３に示すように、建設中のビルやその周辺の造成工事が完了した時点を想定して作成したコンピュータ画像のデータを保持するＣＧデータ保持部９６と、座標設定部９４にて設定された座標値に基づいて、前記ＣＧデータ保持部９６に保持されたコンピュータ画像のデータから液晶表示装置３０に出力する表示領域のデータを抽出し、且つ、抽出された領域のコンピュータ画像の向き及び大きさを、テレビカメラ１０２，１０２の指向方向及び位置、ひいては作業責任者の頭部Ｈの向き及び位置に対応したものに変換すると共に、その変換されたコンピュータ画像の指向性を左或は右側に少しずらして、作業責任者の左或は右の眼Ｅに対応したコンピュータ画像に変換する画像変換部９２と、変換されたコンピュータ画像のデータから、背景（バックグランド）部分のデータを消去する背景消去部９３とを備えている。
　そして、背景部分のデータが消去されたコンピュータ画像は、各ＣＧ作成用コンピュータ９０から２つの画像合成装置１１０へ夫々入力される。
　このため、例えば作業責任者の頭部Ｈの向き乃至眼Ｅの視線が上下或は左右に動くと、これに呼応して上下或は左右方向にスクロールしたコンピュータ画像が画像変換部９２から出力され、作業責任者の頭部Ｈが前後方向に動くと、これに呼応して拡大或は縮小したコンピュータ画像が画像変換部９２から出力されて、この出力されたコンピュータ画像から背景部分が背景消去部９３にて消去されてＣＧ作成用コンピュータ９０の外部に出力される。」（【００１６】−【００１７】段落）
（キ）「また、上記実施例では、画像変換部９２にてコンピュータ画像の向き及び大きさを作業責任者の頭部Ｈの向き及び位置に対応したものに変換する際に、テレビカメラ１０２，１０２の指向方向及び位置を検出するセンサ１０３の検出結果に基づいて変換を行うものとしたが、作業責任者の頭部Ｈの向き及び位置を検出するセンサ８０の検出結果に基づいて変換を行うようにしてもよく、テレビカメラをヘルメットＭの側部に取り付けて雲台１００や駆動装置１０１、及び駆動装置１０１の制御用の構成を省略するようにしてもよい。」（【００２９】段落）
　
　同刊行物３（特開平３−２９４７２号公報、甲第３号証)には、映像合成装置に関し、下記の事項が図面と共に記載されている。
（ク）「この発明は、合成すべき主映像を撮影するビデオカメラのカメラワークやレンズ動作等の情報と、主映像内の被写体の動きの情報とに基づいて、合成すべき他の映像を変化させ、主映像と他の映像とを合成するようにしたものである。」（２頁右上欄５−９行）
　
（４）本件特許発明は、特許法第２９条第２項の規定に違反してなされたものであり、取り消されるべきとの主張について 
　本件特許発明と上記刊行物１ないし３に記載された発明とを対比、判断すると、
　上記刊行物１に記載の発明は、上記記載（ア）ないし（ウ）からみて、使用者がいる位置で観測される実像信号と、位置検出部からの位置データに基づいて計算された仮想的な３次元世界での仮想世界データとを合成してヘッドマウントディスプレイに表示するものである。
　上記刊行物２に記載の発明は、上記記載（エ）ないし（キ）からみて、ＨＭＤと、スクリーンと、装着者の頭部の向きと位置に対応し撮像領域を撮像するテレビカメラと、装着者の頭部の向きと位置を検出するセンサと、センサの検出結果に基づいて頭部の向きと位置に対応したコンピュータ画像を出力するコンピュータグラフィック装置と、テレビカメラの画像とコンピュータグラフィック装置からのコンピュータ画像とを合成する画像合成装置とを備え、画像合成装置で合成された画像をスクリーンに表示するものであり、頭部の動きに応じてスクリーンに表示された画像が変化するものである。
　上記刊行物３に記載の発明は、主映像内の被写体の動き情報に基づいて、合成される映像を変化させて主映像と他の映像を合成させるものである。
　しかしながら、上記刊行物１及び２に記載の各発明は、いずれも現実世界の３次元座標と対応した仮想世界３次元座標上で予め作成されたコンピュータグラフィックの３次元座標を検出器からの位置検出に基づいて現実世界の映像の３次元座標と合うように合成するものであり、また、上記刊行物３に記載の発明は、主映像の被写体の動きに合わせて合成される映像を変化させて合成するものであり、本件特許発明のように鑑賞者が基準合成位置を固定可能とするものではない。
　したがって、上記刊行物１ないし３に記載の各発明は、本件特許発明における「予め前記鑑賞者により固定可能とされた、前記鑑賞者の顔を所望の方向に向けた際の前記表示視野内に表示される前記背景画像に対する前記鑑賞画像の相対位置を、前記表示視野内における基準合成位置としてこの位置に前記鑑賞画像を合成表示し、前記鑑賞画像を、前記顔の方向の変化に伴う前記センサ手段の検知結果に対応して。前記鑑賞者に対する前記鑑賞画像の表示方向が固定されるよう、前記基準合成位置から前記表示装置本体の動きの方向とは逆の方向に移動させる位置制御手段」という主要事項を備えておらず、当該事項を示唆する記載もされていない。
　そして、本件特許発明は、上記主要事項により、明細書に記載された「鑑賞者から見ると、鑑賞画像が表示される方向が固定されており、鑑賞者が他の方向を見ると鑑賞画像が視野内からはずれて背景画像が見えるようになる。このときの背景画像は、ビデオカメラ２４Ｒ，２４Ｌによる外界の撮影画像であり、鑑賞者の顔が向いた方向の画像である。従って、鑑賞者は、ＨＭＤ使用中であっても、必要があればその方向に顔を動かすことで、その方向の画像を見ることができる。別言すれば、あたかも据置型のテレビジョンを鑑賞しているような感覚となる。」という作用効果を奏するものであり、この点は前記各刊行物に記載のものから期待することができない格別のものである。
　したがって、本件特許発明は、上記刊行物１ないし３に記載された発明に基づいて当業者が容易に発明をすることができたものとは認められない。
　
（５）本件特許発明は、その明細書が特許法第３６条第５項に規定する要件を満たしていない特許出願に対してされたものであり、取り消されるべきとの主張について
　本件特許明細書の記載は、上記訂正事項ａの訂正により、鑑賞画像を基準合成位置から表示装置本体の動きの方向とは逆の方向に移動させることが明確となり、また、請求項１に記載された発明は発明の詳細な説明に記載したものであることは明らかであるので、本件請求項１に係る発明の特許は、特許法第３６条第５項に規定する要件を満たしていない特許出願に対してされたものであるとすることはできない。
　
（６）むすび 
　以上のとおりであるから、特許異議の申立ての理由及び証拠によっては、本件請求項１に係る発明の特許を取り消すことはできない。 
　また、他に本件請求項１に係る発明の特許を取り消すべき理由を発見しない。
　よって結論のとおり決定する。
【異議決定日】
平成１７年２月１０日（２００５．２．１０）
【訂正の要旨】
審決（決定）の【理由】欄参照。
（５４）【発明の名称】
ヘッドマウントディスプレイ
（５７）【特許請求の範囲】
　【請求項１】
鑑賞者の
この本体内の両眼に近接する位置で画像を
表示視野内に
両眼の視野を撮像するための撮像手段；
これによって得られた背景画像の信号に外部から供給された鑑賞画像の信号を重ねて前記画像表示手段に供給する画像合成手段；
前記表示装置本体の動きを検知するためのセンサ手段；
予め前記鑑賞者により固定可能とされた、前記鑑賞者の顔を所望の方向に向けた際の前記表示視野内に表示される前記背景画像に対する前記鑑賞画像の相対的位置を、前記表示視野内における基準合成位置としてこの位置に前記鑑賞画像を合成表示し、前記鑑賞画像を、前記顔の方向の変化に伴う前記
前記鑑賞者に対する前記鑑賞画像の表示方向が固定されるよう、前記基準合成位置から前記表示装置本体の動きの方向とは逆の方向に移動させる
を備えたヘッドマウントディスプレイ。
【発明の詳細な説明】
　【０００１】
　【産業上の利用分野】
　この発明は、鑑賞者がその頭部に装着して使用するヘッドマウントディスプレイに関する。
　【０００２】
　【背景技術】
　鑑賞者の両眼に対してそれぞれ画像表示部が近接して設けられており、頭部に装着して使用する画像表示装置、いわゆるヘッドマウントディスプレイ（ＨＭＤ）としては、例えば、特開平４−６１４９５号公報や特開平５−１８３９４３号公報に開示されたものがある。これらに開示されたものは、外観が眼鏡型となっており、耳にかけるようにして頭部に装着する構成となっており、左右の眼に対して対向するような１対の画像表示部がある。日経エレクトロニクス，１９９３，１４，Ｎｏ．５７１に開示されているように、ヘッドバンドで頭部にかけるようにしたものもある。
　【０００３】
　画像表示部としては、液晶素子やＥＬ素子などが用いられており、両眼の前方位置にそれぞれ設けられている。左右それぞれの表示部に、左眼画像，右眼用画像をそれぞれ表示するようにすれば、立体感のある画像を楽しむことができる。なお、眼鏡状のスクリーンの内側に画像を反射させるレンズを置き、これによりスクリーン上部に表示された画像を反射させてスクリーンに投影して鑑賞するようにした透過型のＨＭＤもある。このタイプのものは、スクリーン上の画像とともに、スクリーンを透過して外部も同時に見ることができる。
　【０００４】
　【発明が解決しようとする課題】
　しかしながら、以上のような背景技術には、次のような不都合がある。
（１）非透過型のものは、画像のみを楽しむには好都合であるが、外界が遮断されているため、外界を見たいときはＨＭＤを一度取り外さなくてはならず、必ずしも使い勝手がよいとはいえない。これに対し、透過型のものは、外界の風景と鑑賞画像とが重なって見えるため、必ずしも上述した不都合は生じない。しかし、頭を動かしても、外界の風景は動くものの、鑑賞画像は視界の中の一定位置を占めている。このため、外界の必要な風景と鑑賞画像をどちらも見る必要があるときには、それら両方が見えるような位置に頭を動かして固定しておかなければならない。
　【０００５】
（２）非透過型，透過型のいずれのタイプであっても、両眼の視野内における表示画像の位置が固定されている。このため、頭を動かしても、鑑賞画像は常に視野内の一定の場所に位置する。他方、部屋の中でテレビジョンを見ているようなときは、頭を回して別の方向を見れば、テレビジョンの画像は視界から消える。これとＨＭＤとを比較すれば明らかなように、両者は画像を見る環境が大きく異なる。すなわち、ＨＭＤでは鑑賞画像を避けることができないため、長時間見たときの圧迫感や疲労の程度は増大すると考えられる。
　【０００６】
　この発明は、以上の点に着目したもので、その目的は、外界の所望風景を必要に応じて良好に見ることができる、使い勝手のよいヘッドマウントディスプレイを提供することである。他の目的は、従来のテレビジョンに近似した環境で画像を楽しむことができ、長時間鑑賞しても疲れの少ないヘッドマウントディスプレイを提供することである。
　【０００７】
　【課題を解決するための手段と作用】
　前記目的を達成するため、この発明は、装置本体の動きをセンサで検知し、この検知結果に応じて、背景画像に対する鑑賞画像の相対的な表示位置に逆の動きを与えているので、ヘッドマウント型であるにもかかわらず、据置型のテレビジョンと近似した表示環境が実現される
。こ
　【０００８】
　【好ましい実施例の説明】
　この発明のヘッドマウントディスプレイには数多くの実施例が有り得るが、ここでは適切な数の実施例を示し、詳細に説明する。
　【０００９】
＜実施例１＞図１には、実施例１の機械的な構成部分の平面が示されている。同図に示すように、全体がゴーグル形状となっており、頭部前面側の本体１０には、装着したときに両眼に近接する位置となるように、画像表示部１２Ｒ，１２Ｌがそれぞれ設けられている。これら画像表示部１２Ｒ，１２Ｒは、液晶ディスプレイ１４Ｒ，１４Ｌとバックライト１６Ｒ，１６Ｌによってぞれぞれ構成されている。また、画像表示部１２Ｒ，１２Ｌの肉眼側には、接眼レンズ１８Ｒ，１８Ｌがそれぞれ設けられている。本体１０の両側部には、眼鏡のつるに相当する装着腕２０Ｒ，２０Ｌがそれぞれ延設されている。これら装着腕２０Ｒ，２０Ｌの端部内側には、スピーカ２２Ｒ，２２Ｌがそれぞれ設けられている。
　【００１０】
　更に実施例１では、本体１０の前面左右端部には前方（図の左方）を向いたビデオカメラ２４Ｒ，２４Ｌがそれぞれ設けられており、左右端部内側には垂直センサ２６Ｒ，２６Ｌがそれぞれ設けられている。また、本体１０中央には水平センサ２８が設けられている。
　【００１１】
　これらのうち、ビデオカメラ２４Ｒ，２４Ｌは、それぞれ右眼，左眼の視野範囲を撮像するためのものである。垂直センサ２６Ｒ，２６Ｌは、視野の垂直方向の相対的な位置を検知するためのセンサであり、水平センサ２８は、視野の水平方向の相対的な位置を検知するためのセンサである。また、垂直センサ２６Ｒ，２６Ｌの検知出力から視野の回転を検出することができる。
　【００１２】
　次に、実施例１の電気的な構成部分は、図２に示す通りである。なお、同図に示す回路ブロックは、左又は右のいずれか一方の回路のみであり、もう１つ同様の回路が設けられる。基本的な動作，つまり、上述したセンサ２６Ｒ，２６Ｌ，２８を考慮しない場合の動作を説明すると、ビデオカメラ２４Ｒ，２４Ｌによって撮像された風景のＲ，Ｇ，Ｂ画像信号は、同期信号発生回路３０から供給された同期信号に基づいて出力され、合成スイッチ３２に供給される。
　【００１３】
　他方、映画などの外部入力画像信号は、色復調回路３４によって色復調された後、Ａ／Ｄ変換器３６でデジタル信号に変換される。そして、入力画像信号に同期してメモリ３８に蓄積される。このとき、書込制御回路４０による調整によって、メモリ３８に蓄積する画像の画素を間引いたり、あるいは補間したりすることで、画像の拡大，縮小や、アスペクト比の変更が鑑賞者の所望に応じて行われる。
　【００１４】
　メモリ３８に蓄積された画像信号は、ビデオカメラ２４の同期信号と同じタイミングで読み出され、Ｄ／Ａ変換器４２によってアナログ信号に変換された後、合成スイッチ３２に供給される。合成スイッチ３２では、ビデオカメラ２４側から供給された風景の画像と、映画などの鑑賞画像とが合成される。
　【００１５】
　図３には、その様子が示されている。ビデオカメラ２４Ｒ，２４Ｌでは、例えば同図（Ａ）に示すような風景画像ＰＢＲ，ＰＢＬがそれぞれ撮像される。合成スイッチ３２では、背景画像よりも鑑賞画像を優先する合成処理，つまり、一枚の画面の中で鑑賞画像がある領域はそちらを出力し、鑑賞画像がない領域は背景画像を出力する処理が行われる。このため、同図（Ｂ）に示すように、それら風景画像ＰＢＲ，ＰＢＬに、鑑賞画像ＰＭＲ，ＰＭＬがそれぞれ合成されるようになる。これは、テレビジョンやＶＴＲにおけるピクチャ・イン・ピクチャの機能に例えることができる。合成された左右両眼用の画像信号は、液晶ディスプレイ１４Ｒ，１４Ｌにそれぞれ供給される。
　【００１６】
　他方、液晶ディスプレイ１４Ｒ，１４Ｌは、水平・垂直タイミング回路４４から供給される走査タイミング信号によって表示走査が行われている。この水平・垂直タイミング回路４４は、同期信号発生回路３０から供給された同期信号に基づいて動作しているので、液晶ディスプレイ１４Ｒ，１４Ｌの走査もビデオカメラ２４Ｒ，２４Ｌの画像信号出力に同期して行われることになる。つまり、ビデオカメラ２４Ｒ，２４Ｌからの画像信号出力及びメモリ３８からの画像信号読出しから、液晶ディスプレイ１４Ｒ，１４Ｌにおける表示に至る回路の動作は、いずれも同期して行われている。
　【００１７】
　液晶ディスプレイ１４Ｒ，１４Ｌでは、バックライト駆動装置４６によって駆動されているバックライト１６Ｒ，１６Ｌの光を受けて、図３（Ｂ）に示した左右両眼用の合成画像が表示される。これら合成画像は、接眼レンズ１８Ｒ，１８Ｌを通して鑑賞者の両眼で観察される。
　【００１８】
　ところで、実施例１では、上述したセンサ２６Ｒ，２６Ｌ，２８の検知出力側が読出制御回路４８に接続されており、この読出制御回路４８によってメモリ３８からのデータ読出しが制御されるようになっている。また、垂直センサ２６Ｒ，２６Ｌの検知出力側は回転角度検出回路５０に接続されており、この回転角度検出回路５０の出力側は画像回転回路５２に接続されている。画像回転回路５２は、メモリ３８から供給された画像を回転して出力するためのものである。
　【００１９】
　これらの動作を説明すると、つまり図１に示したＨＭＤが水平方向に移動したとすると、これが水平センサ２８で検知される。読出制御回路４８では、この水平移動に対応してメモリ３８からの信号読出しのタイミングが制御される。この結果、ビデオカメラ２４Ｒ，２４Ｌから送られて来る背景画像に対する鑑賞画像の表示タイミングがずれるようになり、結果的に相対的な表示位置がずれることになる。読出制御回路４８では、鑑賞画像の移動方向が水平センサ２８によって検知された移動方向の逆となるように、メモリ３８からのデータ読出しの制御が行われる。図４（Ａ）にはその様子が示されており、水平センサ２８の検知移動方向が矢印ＦＡであったとすると、液晶ディスプレイ１４Ｒ，１４Ｌ上における鑑賞画像ＰＭＲ，ＰＭＬは、逆の矢印ＦＢ方向に移動することになる。
　【００２０】
　次に、ＨＭＤが垂直方向に移動したとすると、これが垂直センサ２６Ｒ，２６Ｌで検知される。読出制御回路４８では、この垂直移動に対応してメモリ３８からの信号読出しのタイミングが制御される。この場合も、読出制御回路４８では、鑑賞画像の移動方向が垂直センサ２６Ｒ，２６Ｌによって検知された移動方向の逆となるように、メモリ３８からのデータ読出しの制御が行われる。図４（Ｂ）にはその様子が示されており、垂直センサ２６Ｒ，２６Ｌ８の検知移動出方向が矢印ＦＣ，ＦＤであったとすると、液晶ディスプレイ１４Ｒ，１４Ｌ上における鑑賞画像ＰＭＲ，ＰＭＬは、それらの平均移動量だけ逆の矢印ＦＥ方向にそれぞれ移動することになる。
　【００２１】
　更に、このとき、垂直センサ２６Ｒ，２６Ｌの検知結果から、回転角度検出回路５０によって図１のＨＭＤの回転角度θが検出される。例えば、図４（Ｃ）に示すように、垂直センサ２６Ｒの検知方向が矢印ＦＦで移動量Δａ，垂直センサ２６Ｌの検知方向が矢印ＦＧで移動量Δｂあったとすると、垂直センサ間の距離をＳとして、
　　θ＝ｔａｎ−１（（Δａ＋Δｂ）／Ｓ）
の演算を行うことで回転角度θが求められる。画像回転回路５２では、この回転角度θと逆の−θに相当する画像の回転が行われる。この結集、液晶ディスプレイ１４Ｒ，１４Ｌには、図４（Ｃ）に示すように、鑑賞画像ＰＭＲ，ＰＭＬが回転して表示されるようになる。
　【００２２】
　このように、鑑賞者から見ると、鑑賞画像が表示される方向が固定されており、鑑賞者が他の方向を見ると鑑賞画像が視野内からはずれて背景画像が見えるようになる。このときの背景画像は、ビデオカメラ２４Ｒ，２４Ｌによる外界の撮影画像であり、鑑賞者の顔が向いた方向の画像である。従って、鑑賞者は、ＨＭＤ使用中であっても、必要があればその方向に顔を動かすことで、その方向の画像を見ることができる。別言すれば、あたかも据置型のテレビジョンを鑑賞しているような感覚となる。
　【００２３】
　例えば、鑑賞者が顔を、図３（Ｂ）に示すような表示状態において、同図（Ｃ）に矢印ＦＨで示す左方向に徐々に移動させたとする。すると、液晶ディスプレイ１４Ｒ，１４Ｌ上における鑑賞画像ＰＭＲ，ＰＭＬは、同図（Ｃ）に矢印ＦＩで示す逆の方向に移動するようにようになる。垂直方向の移動や回転についても同様である。
　【００２４】
　なお、読出制御回路４８，回転角度検出回路５０には、初期設定スイッチ５４が接続されており、これによって、ＨＭＤの頭部装着時における鑑賞者の所望の姿勢と、視野内における鑑賞画像ＰＭＲ，ＰＭＬの位置との相対的な関係の初期設定を行うことができるようになっている。
　【００２５】
　次に、実施例１の全体動作を説明する。鑑賞者は、図１に示したＨＭＤの装着腕２０Ｒ，２０Ｌを左右の耳にかけて、頭部に装着する。この状態で、液晶ディスプレイ１４Ｒ，１４Ｌには、ビデオカメラ２４Ｒ，２４Ｌによって撮像された風景画像ＰＢＲ，ＰＢＬと、外部から入力された映画やテレビジョン番組などの鑑賞したい画像ＰＭＲ，ＰＭＬが重ねて映し出される（図３（Ｂ）参照）。
　【００２６】
　この状態で鑑賞者が、顔の方向を変えると、その変化がセンサ２６Ｒ，２６Ｌ，２８によって検知され、図４に示すように鑑賞画像の表示位置が変化する。そこで、鑑賞者は、ソファシートに座るなどの所望の姿勢をとるとともに、鑑賞画像が表示視野内の所望の位置となるように適当な方向を向く。そして、この状態で初期設定スイッチ５４を操作する。すると、読出制御回路４８，回転角度検出回路５０ではセンサ入力を無視する初期設定動作が行われ、視野を変えても液晶ディスプレイ１４Ｒ，１４Ｌ上における鑑賞画像の表示位置が固定された状態となる。
　【００２７】
　この状態で、鑑賞者は、初期設定スイッチ５４を解除する。すると、読出制御回路４８，回転角度検出回路５０では、解除時点におけるセンサ出力を基準として、以後、上述した読出制御，回転角度検出の動作が行われる。つまり、センサ出力に基づいて、液晶ディスプレイ１４Ｒ，１４Ｌ上における鑑賞画像の表示位置が図４に示したように変化する。
　【００２８】
　鑑賞者は、必要があるときはその方向に顔を向けるようにすれば、その方向の背景画像が液晶ディスプレイ１４Ｒ，１４Ｌに表示されるとともに、鑑賞画像は移動するので、その方向の外界の様子を簡単に知ることができる。
　【００２９】
　次に、音声について説明する。図６には、音声信号の処理回路が示されている。同図において、外部の音声を得るためのマイクロホン（以下単に「マイク」という）７０の出力側は、可変抵抗器によって構成された音声混合回路７２Ｒ，７２Ｌの入力側にそれぞれ接続されている。マイク７０は、適宜位置例えば図１に示したＨＭＤにおける水平センサ２８の上部に設けられる。
　【００３０】
　音声混合回路７２Ｒには、Ｒ音声，モノラル音声が入力されている。また、音声混合回路７２Ｌには、Ｌ音声，モノラル音声が入力されている。音声混合回路７２Ｒ，７２Ｌの摺動端子は、水平センサ２８の検知結果に対応して移動するようになっている。音声混合回路７２Ｒ，７２Ｌの出力側は、アンプ７４Ｒ，７４Ｌを介してスピーカ２２Ｒ，２２Ｌにそれぞれ接続されている。このような音声信号処理回路は、ＨＭＤの適宜位置に収納されている。
　【００３１】
　次に、音声処理の動作について説明する。最初、図７（Ａ）に示すように、鑑賞者が鑑賞画像をみる正面方向を向いているものとする。このとき、水平センサ２８は水平方向の移動を検知しない状態にある。音声混合回路７２Ｒ，７２Ｌでは、摺動端子が中央に位置するため、Ｒ音声，Ｌ音声がそれぞれ出力されることになる。このため、スピーカ２２Ｒ，２２Ｌからは、それぞれＲ，Ｌの音声信号が再生されて出力されることになる。つまり、鑑賞画像に対応した音声出力となっている。
　【００３２】
　次に、図７（Ｂ）に示すように、鑑賞者が外界を見るために左を向いたとする。すると、水平センサ２８によってその動きが検知され、音声混合回路７２Ｒ，７２Ｌでは、摺動端子が「左」の方向に移動する。このため、音声混合回路７２Ｒではモノラル音声Ｒ＋Ｌが出力されるようになり、音声混合回路７２Ｌではマイク７０の外部音が出力されるようになる。つまり、仮想的に鑑賞画像ＰＭの方を向く右耳にはモノラル音声が聞こえ、反対の左耳には外部音が聞こえるようになる。
　【００３３】
　また、図７（Ｃ）に示すように、鑑賞者が外界を見るために右を向いたとする。すると、水平センサ２８によってその動きが検知され、音声混合回路７２Ｒ，７２Ｌでは、摺動端子が「右」の方向に移動する。このため、音声混合回路７２Ｒではマイク７０の外部音が出力されるようになり、音声混合回路７２Ｌではモノラル音声Ｒ＋Ｌが出力されるようになる。つまり、仮想的に鑑賞画像ＰＭの方を向く左耳にはモノラル音声が聞こえ、反対の右耳には外部音が聞こえるようになる。このように、音声や外部音は水平センサ２８の検知移動量に対応して混合され、鑑賞画像ＰＭの位置と音源の位置とが対応するようになる。
　【００３４】
　以上のように、実施例１によれば、外界の所望風景を必要に応じて良好に見ることができ、非常に使い勝手がよい。また、従来の据置型のテレビジョンに近似した環境で画像を楽しむことができ、長時間鑑賞しても疲れが少ない。更に、鑑賞画像の大きさを変えることができるので、外界風景の観察に好都合である。また、鑑賞画像の位置と音源の位置とが合致するようにしたので、ＨＭＤを装着しているという違和感が低減され、音声的に外界の情報を得ることができるので、使用環境が据置型テレビジョンに更に近づくことになる。
　【００３５】
＜実施例２＞次に、図５を参照しながら実施例２について説明する。上述した実施例１は、非透過型のＨＭＤの例であるが、この実施例２は、透過型のＨＭＤの例である。この透過型の場合は、鑑賞者はゴーグルを介して外界を見ることができるので、外界の映像を写すためのビデオカメラは必要がない。このため、図１中のビデオカメラに関係する構成部分は除かれており、外部から供給された鑑賞画像の表示位置を制御する構成要素のみで良い。また、実施例２は簡易型のため、回転運動に基づく表示位置制御の構成部分は除かれている。従って、垂直センサは１つでよい。
　【００３６】
　図５において、外部から入力された鑑賞画像信号は色復調回路３４によって色復調された後、そのまま液晶ディスプレイ１４Ｒ，１４Ｌに供給される。この鑑賞画像信号は、同期信号分離回路６０にも入力されており、ここで水平，垂直の同期信号ＨＤ，ＶＤが分離される。水平同期信号ＨＤは、水平タイミング回路６２に入力されており、これから得られた水平走査タイミング信号が液晶ディスプレイ１４Ｒ，１４Ｌに供給される。また、垂直同期信号ＶＤは、垂直タイミング回路６４に入力されており、これから得られた垂直走査タイミング信号が同様に液晶ディスプレイ１４Ｒ，１４Ｌに供給される。液晶ディスプレイ１４Ｒ，１４Ｌでは、これらのタイミング信号に基づいて色復調回路３４から入力された映像が表示される。
　【００３７】
　この場合において、水平センサ２８の検知出力は水平タイミング回路６２に供給されており、これによって、鑑賞画像が顔の移動方向と逆の方向に移動するように、水平タイミングが調整される。他方、垂直センサ２６Ｒ（又は２６Ｌ）の検知出力は垂直タイミング回路６４に供給されており、これによって、鑑賞画像が顔の移動方向と逆の方向に移動するように、垂直タイミングが調整される。
　【００３８】
　このように、実施例２では、顔の方向に対応して鑑賞画像の表示位置が水平，垂直の逆方向に変化する。このため、ゴーグルからは外界が見えるようになり、実施例１と同様の効果が得られる。なお、実施例２では、簡易型のため、鑑賞画像の大きさは変化しない。
　【００３９】
＜他の実施例＞この発明は、以上の開示に基づいて多様に改変することが可能であり、例えば次のようなものがある。
（１）前記実施例１では、左右両眼に対応してビデオカメラを設けたが、もちろん１つのみでもよい。
（２）実施例１で行った初期設定動作は、実施例２では水平，垂直タイミング回路６２，６４で行うようにすればよい。実施例２は透過型であるから、背景画像に重ねて鑑賞画像が表示される。このため、外界の風景の中で、モノトーンな場所，例えば白い壁などの部分に鑑賞画像が位置するように初期設定すると、好都合である。
　【００４０】
（３）前記実施例では液晶ディスプレイを両眼で直接見る構成としたが、ミラーなどを利用して間接的に見るようにしてもよい。その他、水平，垂直センサの代りにビデオカメラによる撮影画像の動きを検知し、その動きとは逆の方向に鑑賞画像を移動させるようにするなど、同様の作用を奏するように各種設計変更が可能である。
　【００４１】
　【発明の効果】
　以上説明したように、この発明によれば、次のような効果がある。
（１）ＨＭＤの動きを検知し、その動きと逆の動きを鑑賞画像に付与することとしたので、据置型のテレビジョンと近似した環境が実現でき、顔を動かすのみで所望の外界風景を簡単に見ることができ、使い勝手がよい。
（２）従来の据置型のテレビジョンと近似した環境で画像を楽しむことができ、長時間鑑賞しても圧迫感がなく、疲れも少ない。
【図面の簡単な説明】
　【図１】この発明の実施例１の機械的構成の主要部を示す平面図である。
　【図２】実施例１の電気的構成の主要部を示すブロック図である。
　【図３】実施例１の作用を示す図である。
　【図４】実施例１の作用を示す図である。
　【図５】実施例２の電気的構成の主要部を示すブロック図である。
　【図６】実施例１の音声処理系を示すブロック図である。
　【図７】実施例１の音声処理系の作用を示す図である。
　【符号の説明】
　１０…ＨＭＤ本体
　１２Ｒ，１２Ｌ…映像表示部（画像表示手段，画像投影手段）
　１４Ｒ，１４Ｌ…液晶ディスプレイ
　１６Ｒ，１６Ｌ…バックライト
　１８Ｒ，１８Ｌ…接眼レンズ
　２０Ｒ，２０Ｌ…装着腕
　２２Ｒ，２２Ｌ…スピーカ
　２４Ｒ，Ｌ…ビデオカメラ
　２６Ｒ，２６Ｌ…垂直センサ（センサ手段）
　２８…水平センサ（センサ手段）
　３０…同期信号発生回路
　３２…合成スイッチ
　３４…色復調回路
　３６…Ａ／Ｄ変換器
　３８…メモリ（位置制御手段）
　４０…書込制御回路
　４２…Ｄ／Ａ変換器
　４４…水平・垂直タイミング回路
　４６…バックライト駆動装置
　４８…読出制御回路（位置制御手段）
　５０…回転角度検出回路（位置制御手段）
　５２…画像回転回路（位置制御手段）
　５４…初期設定スイッチ
　６０…同期分離回路
　６２…水平タイミング回路（位置制御手段）
　６４…垂直タイミング回路（位置制御手段）
　７０…マイクロホン
　７２Ｒ，７２Ｌ…音声混合回路（音声混合手段）
　７４Ｒ，７４Ｌ…アンプ
　ＰＢＲ，ＰＢＬ…背景画像
　ＰＭ，ＰＭＲ，ＰＭＬ…鑑賞画